(57)【要約】【課題】副共振応答を抑圧することができる弾性波フィルタ、デュープレクサ、通信モジュール、通信装置を得る。【解決手段】複数の弾性波共振器をラダー型に接続した弾性波フィルタに、直列（または並列）にノッチ共振器２を接続することにより、フィルタ特性において生じていた副共振応答を抑圧することができ、通信特性を向上させることができる。【選択図】図１１Ａ
2010109894.tif 000002
【特許請求の範囲】
【請求項１】
弾性波共振器を有する弾性波フィルタであって、
前記弾性波共振器に直列または並列に接続されたノッチ共振器を備え、
前記ノッチ共振器の主共振周波数は、前記弾性波共振器の副共振周波数と略一致する、弾性波フィルタ。
【請求項２】
前記弾性波共振器は、ラダー型に接続されている、請求項１記載の弾性波フィルタ。
【請求項３】
前記ノッチ共振器は、入力端子または出力端子に直列に接続されている、請求項１または２に記載の弾性波フィルタ。
【請求項４】
前記ノッチ共振器は、入力端子または出力端子に並列に接続されている、請求項１または２に記載の弾性波フィルタ。
【請求項５】
アンテナに接続されたアンテナ端子と、
前記アンテナ端子に接続され、前記アンテナ端子を介して前記アンテナから受信信号を入力する受信回路と、
前記アンテナ端子に接続され、前記アンテナ端子を介して前記アンテナに送信信号を出力する送信回路と、
前記アンテナ端子に接続されたノッチ共振器とを備え、
前記受信回路及び前記送信回路は、弾性波共振器を有し、
前記ノッチ共振器の主共振周波数は、前記弾性波共振器の副共振周波数と略一致する、デュープレクサ。
【請求項６】
前記ノッチ共振器は、前記アンテナ端子に並列に接続されている、請求項５記載のデュープレクサ。
【請求項７】
請求項１〜４に記載の弾性波フィルタ、または請求項５，６に記載のデュープレクサを備えた、通信モジュール。
【請求項８】
請求項７に記載の通信モジュールを備えた、通信装置。
【発明の詳細な説明】
【技術分野】
【０００１】
本願の開示は、携帯電話に代表される移動通信機器や無線機器で使用される弾性波フィルタ、およびデュープレクサに関する。また、そのような弾性波フィルタまたはデュープレクサを備えた通信モジュール、通信装置に関する。
【背景技術】
【０００２】
携帯電話の高周波回路部には、弾性表面波共振器やラブ波共振器、弾性境界波共振器、圧電薄膜共振器などの弾性波共振器を用いたフィルタやデュープレクサが多用されている。
【０００３】
図１Ａは、弾性表面波共振器の構造例を模式的に示した平面図である。図１Ｂは、図１ＡにおけるＺ−Ｚ部の断面図である。図１Ａ及び図１Ｂに示す弾性表面波共振器は、圧電基板１０１の表面に一対の櫛形電極１０２が形成されている。また、櫛形電極１０２の両側には、グレーティング反射器１０３ａ及び１０３ｂが形成されている。
【０００４】
図２Ａは、ラブ波共振器の構造例を模式的に示した平面図である。図２Ｂは、図２ＡにおけるＺ−Ｚ部の断面図である。図２Ａ及び図２Ｂに示すラブ波共振器は、圧電基板１０１、櫛形電極１０２、グレーティング反射器１０３ａ及び１０３ｂを備えた弾性表面波共振器の上部に、第１の誘電体１０４が堆積されている構造である。特許文献１には、図２Ａ及び図２Ｂに示すラブ波共振器の構成が開示されている。
【０００５】
図３Ａは、弾性境界波共振器の構造例を模式的に示した平面図である。図３Ｂは、図３ＡにおけるＺ−Ｚ部の断面図である。図３Ａ及び図３Ｂに示す弾性境界波共振器は、圧電基板１０１、櫛形電極１０２、グレーティング反射器１０３ａ及び１０３ｂを備えた弾性表面波共振器の上部に、第１の誘電体１０４及び第２の誘電体１０５が堆積されている構造である。特許文献２には、図３Ａ及び図３Ｂに示す弾性境界波共振器の構成が開示されている。
【０００６】
図４Ａは、圧電薄膜共振器の構造例を模式的に示した平面図である。図４Ｂは、図４ＡにおけるＺ−Ｚ部の断面図である。図４Ａ及び図４Ｂに示す圧電薄膜共振器は、基板２０１上に上部電極２０２、下部電極２０３、圧電膜２０４が形成されて構成されている。圧電膜２０４は、上部電極２０２と下部電極２０３と挟持されている。上部電極２０２と下部電極２０３とが対向している領域が励振部２０６である。励振部２０６の下側には、貫通穴２０５やエアギャップなどが設けられる。
【０００７】
図５は、図１〜図４に示す弾性波共振器の主共振周波数付近のアドミタンス特性例を示す。図１〜図４に示す弾性波共振器は、主共振周波数（ｆr0）と主反共振周波数（ｆa0）を含む二重共振特性を持つ。主共振周波数（ｆr0）と主反共振周波数（ｆa0）とは、互いに近い値である。
【０００８】
図６Ａは、図１〜図４に示す弾性波共振器のうちいずれかを梯子形に接続したラダー型フィルタの構成を示す。図６Ａに示すように、弾性波共振器３００を梯子形に接続することで、図６Ｂに示すように高域側と低域側とが抑圧されたバンドパス特性を有するラダー型フィルタが得られる。
【０００９】
図７は、ラダー型フィルタのバンドパス特性形成原理を示す。図７において、実線で示す特性は、弾性波共振器単体を直列接続（以下、直列共振器と呼ぶ）したときの通過特性を示す。直列共振器は、共振周波数（ｆrs）と反共振周波数（ｆas）の間を遷移周波数とするローパスフィルタとなる。また、図７において、破線で示す波形は、弾性波共振器単体を並列接続（以下、並列共振器と呼ぶ）したときの通過特性を示す。並列共振器は、共振周波数（ｆrp）と反共振周波数（ｆap）の間を遷移周波数とするハイパスフィルタとなる。直列共振器の共振周波数（ｆrs）と並列共振器の反共振周波数（ｆap）は、およそ一致するように設定される。ラダー型フィルタは、直列共振器と並列共振器がいくつか接続された構成であるため、図７において実線で示す特性と破線で示す特性とが合成され、図６Ｂに示すようなバンドパス特性が形成される。
【特許文献１】特開２００４−１１２７４８号公報
【特許文献２】特開平１０−５４９００８号公報
【発明の開示】
【発明が解決しようとする課題】
【００１０】
弾性波共振器の共振現象は、機械振動に由来するため、主共振（主反共振）だけでなく、様々な振動モードに対応するいくつかの副共振（副反共振）を持つことが多い。
【００１１】
図８は、弾性波共振器のアドミタンス特性例を示し、副共振周波数まで含むように広帯域の周波数特性を示している。図８に示すように、主共振周波数ｆr0及び主反共振周波数ｆa0から離れた周波数帯域に副共振周波数ｆr1と副反共振周波数ｆa1とが存在し、さらに離れた周波数帯域に副共振周波数ｆr2と副反共振周波数ｆa2とが存在している。副共振（副反共振）の発生数、および副共振と主共振との周波数間隔は、弾性波共振器の種類により異なる。また、同じ種類の弾性波共振器であっても、弾性波共振器に使用されている材料や膜厚などによって、副共振（副反共振）の発生数、および副共振と主共振との周波数間隔は異なる。
【００１２】
このように、弾性波共振器は副共振が発生するため、弾性波共振器を用いたフィルタは副共振に基づくパスバンドが形成される。
【００１３】
図９は、弾性波共振器を用いたラダー型フィルタの広帯域通過特性例を示す。図９に示すように、弾性波共振器を用いたラダー型フィルタでは、主共振により形成されるメインのパスバンド（主共振応答と呼ぶ）の他に、副共振によってもパスバンドが形成されてしまう（副共振応答と呼ぶ）。一般的な弾性波共振器では、主共振によるメインのパスバンド以外の周波数帯域を抑圧する仕様（以下、抑圧仕様と称する）となっており、副共振応答が原因で図９に示すように抑圧仕様を満たせない場合があり、問題となっていた。
【００１４】
本発明は、副共振応答を抑圧することができる弾性波フィルタ、デュープレクサ、通信モジュール、通信装置を得ることを目的とする。
【課題を解決するための手段】
【００１５】
本願に開示する弾性波フィルタは、弾性波共振器を有する弾性波フィルタであって、前記弾性波共振器に直列または並列に接続されたノッチ共振器を備え、前記ノッチ共振器の主共振周波数は、前記弾性波共振器の副共振周波数と略一致する。
【００１６】
本願に開示するデュープレクサは、アンテナに接続されたアンテナ端子と、前記アンテナ端子に接続され、前記アンテナ端子を介して前記アンテナから受信信号を入力する受信回路と、前記アンテナ端子に接続され、前記アンテナ端子を介して前記アンテナに送信信号を出力する送信回路と、前記アンテナ端子に接続されたノッチ共振器とを備え、前記受信回路及び前記送信回路は、弾性波共振器を有し、前記ノッチ共振器の主共振周波数は、前記弾性波共振器の副共振周波数と略一致する。
【００１７】
本願に開示する通信モジュールは、上記弾性波フィルタまたはデュープレクサを備えている。
【００１８】
本願に開示する通信装置は、上記通信モジュールを備えている。
【発明の効果】
【００１９】
本願の開示によれば、主共振応答を劣化させることなく、副共振応答を抑圧することができる。
【発明を実施するための最良の形態】
【００２０】
（実施の形態）
〔１．弾性波フィルタの構成〕
本実施形態にかかる弾性波フィルタは、弾性波フィルタを構成する弾性波共振器の副共振周波数または副反共振周波数と略一致する主共振周波数または主反共振周波数を持つ弾性波共振器（以下、ノッチ共振器と称する）を弾性波フィルタに接続することにより、副共振応答を抑圧することを特徴としている。
【００２１】
原理説明を簡単にするために、副共振が発生する周波数帯域を１つだけ有する弾性波共振器を用いたフィルタについて説明する。
【００２２】
まず、直列ノッチ共振器による副共振応答の抑圧について説明する。図１０Ａは、複数の弾性波共振器１をラダー型（梯子形）に接続したラダー型フィルタの構成を示す。図１０Ｂは、直列ノッチ共振器２の構成を示す。図１０Ｃは、ラダー型フィルタ（実線）と直列ノッチ共振器（点線）の広帯域通過特性例を示す。図１１Ａは、図１０Ａに示すラダー型フィルタに図１０Ｂに示す直列ノッチ共振器を接続したラダー型フィルタの構成を示す。図１１Ｂは、従来のラダー型フィルタの通過特性（実線）と図１１Ａに示すラダー型フィルタの通過特性（破線）を示す。
【００２３】
図１０Ｃに示すように、図１０Ｂに示す直列ノッチ共振器２の主反共振周波数は、図１０Ａに示すラダー型フィルタの副共振応答周波数付近になるように設定されている。直列ノッチ共振器２に用いられる弾性表面波共振器やラブ波共振器、弾性境界波共振器の主共振周波数及び主反共振周波数は、櫛形電極の膜厚、電極幅、周期などによって調整することができる。また、圧電薄膜共振器の主共振周波数及び主反共振周波数は、上部電極、下部電極、圧電膜の膜厚などによって調整することができる。
【００２４】
例えば、図１０Ａに示すラダー型フィルタの出力端子３に図１０Ｂに示す直列ノッチ共振器２を接続して、図１１Ａに示すようなラダー型フィルタを形成した場合、図１１Ｂの破線で示す通過特性のように、副共振応答を抑圧することができる。なお、図１１ＢのＡ部に示すように、直列ノッチ共振器２の副共振周波数および副反共振周波数付近の抑圧特性（破線）は、直列ノッチ共振器２を接続しないラダー型フィルタの特性（実線）に比べてわずかに変化するが、問題とならない程度である。但し、直列ノッチ共振器２を接続することで、フィルタの入出力インピーダンスがずれることがあるので、所望の入出力インピーダンスにするために、フィルタを構成する弾性波共振器１の静電容量などを適宜に調整してもよい。
【００２５】
次に、並列ノッチ共振器による副共振応答の抑圧について考える。図１２Ａは、複数の弾性波共振器１を梯子形に接続したラダー型フィルタの構成を示す。図１２Ｂは、並列ノッチ共振器１２の構成を示す。図１２Ｃは、ラダー型フィルタ（実線）と並列ノッチ共振器（破線）の広帯域通過特性例を示す。図１３Ａは、図１２Ａに示すラダー型フィルタに図１２Ｂに示す並列ノッチ共振器１２を接続したラダー型フィルタの構成を示す。図１３Ｂは、従来のラダー型フィルタの通過特性（実線）と図１３Ａに示すラダー型フィルタの通過特性（破線）を示す。
【００２６】
図１２Ｃに示すように、図１２Ｂに示す並列ノッチ共振器１２の主共振周波数は、図１２Ａに示すラダー型フィルタの副共振応答周波数付近になるように設定されている。並列ノッチ共振器１２に用いられる弾性表面波共振器やラブ波共振器、弾性境界波共振器の主共振周波数及び主反共振周波数は、櫛形電極の膜厚、電極幅、周期などによって調整することができる。また、圧電薄膜共振器の主共振周波数及び主反共振周波数は、上部電極、下部電極、圧電膜の膜厚などによって調整することができる。
【００２７】
例えば、図１２Ａに示すラダー型フィルタの出力端子３に図１２Ｂに示す並列ノッチ共振器１２を接続して、図１３Ａに示すようなラダー型フィルタを形成した場合、図１３Ｂの破線で示す通過特性のように、副共振応答を抑圧することができる。なお、図１３ＢのＢ部に示すように、並列ノッチ共振器１２の副共振周波数および副反共振周波数付近の抑圧特性は、並列ノッチ共振器１２を接続しないラダー型フィルタの通過特性に比べてわずかに変化するが、問題とならない程度である。但し、並列ノッチ共振器１２を接続することで、フィルタの入出力インピーダンスがずれることがあるので、所望の入出力インピーダンスにするために、フィルタを構成する弾性波共振器１１の静電容量などを適宜に調整してもよい。
【００２８】
以上が、本実施形態の副共振応答抑圧の基本原理である。なお、上述の説明では、ノッチ共振器をフィルタの出力端子に接続したが、ノッチ共振器はフィルタの入力端子に接続しても同様の効果が得られるのは明らかである。さらに、ノッチ共振器は、フィルタの入出力端子だけでなく、様々な位置に接続することができ、得られる効果も同等である。また、上記説明ではノッチ共振器の数は１個としたが、２個以上であっても同様の効果が得られる。
【００２９】
以下、ノッチ共振器の接続位置を変えたラダー型フィルタの変形例について説明する。
【００３０】
図１４Ａは、ラダー型フィルタの直列共振器２１と並列共振器２３との間に直列ノッチ共振器２２を接続した例である。図１４Ｂは、ラダー型フィルタの直列共振器２１ａ及び２１ｂ間に直列ノッチ共振器２２を接続した例である。図１４Ｃは、ラダー型フィルタの並列共振器２３ａ及び２３ｂ間に直列ノッチ共振器２２を接続した例である。図１４Ｄは、ラダー型フィルタの直列共振器２１に並列に直列ノッチ共振器２２を接続した例である。図１４Ｅは、ラダー型フィルタの複数の直列共振器２１ａ及び２１ｂに並列に直列ノッチ共振器２２を接続した例である。これらの変形例に示すように、ラダー型フィルタの任意の位置に直列ノッチ共振器２２を接続することで、副共振応答を抑圧することができる。なお、本実施の形態では、ラダー型フィルタの回路において、信号ラインＳ（例えば図１４Ａ参照）に両端が接続された共振器を「直列共振器」と定義し、信号ラインＳとグランドラインＧとの間に両端が接続された共振器を「並列共振器」と定義している。
【００３１】
図１５Ａは、ラダー型フィルタの直列共振器３１ａ及び３１ｂ間に並列ノッチ共振器３２を接続した例である。図１５Ｂは、ラダー型フィルタの並列共振器３３とグランドラインＧ間に並列ノッチ共振器３２を接続した例である。図１５Ｃは、ラダー型フィルタの並列共振器３３と信号ラインＳ間に並列ノッチ共振器３２を接続した例である。図１５Ｄは、ラダー型フィルタの複数の並列共振器３３ａ及び３３ｂのグランドラインＧ側の接続点とグランドラインＧと間に並列ノッチ共振器３２を接続した例である。図１５Ｅは、ラダー型フィルタの複数の並列共振器３３ａ及び３３ｂの信号ラインＳ側の接続点と信号ラインＳとの間に並列ノッチ共振器３２を接続した例である。これらの変形例に示すように、ラダー型フィルタの任意の位置に並列ノッチ共振器３２を接続することで、副共振応答を抑圧することができる。
【００３２】
本発明の副共振応答抑圧法は、前述したラダー型フィルタに限るものではなく、あらゆる種類の弾性波フィルタに適用できる。例えば、図１６Ａに示すような弾性表面波やラブ波、弾性境界波を用いたダブルモード型フィルタ（アンバランス出力型）にも適用できる。図１６Ａに示すダブルモード型フィルタは、入力端子４１に入力用櫛形電極４３ａが接続され、出力端子４２に出力用櫛形電極４３ｂ及び４３ｃが接続されている。入力用櫛形電極４３ａと出力用櫛形電極４３ｂ及び４３ｃとは並列配置され、さらに出力用櫛形電極４３ｂ及び４３ｃに反射器４４ａ及び４４ｂが並列配置されている。
【００３３】
また、本発明の副共振応答抑圧法は、図１６Ｂに示すような圧電薄膜型のダブルモード型フィルタ（バランス出力型）にも適用できる。図１６Ｂは、圧電薄膜型のダブルモード型フィルタの断面図を示す。図１６Ｂに示すダブルモード型フィルタは、一対の圧電膜４７ａ及び４７ｂで誘電体膜４８ａを挟んで第１の共振部を形成し、一対の圧電膜４７ｃ及び４７ｄで誘電体膜４８ｂを挟んで第２の共振部を形成し、第１の共振部と第２の共振部とを積層して構成されている。第１の共振部と第２の共振部との接合部には入力端子４５が接続され、第１の共振部側の圧電膜４７ａに出力端子４６ａが接続され、第２の共振部側の圧電膜４７ｄに出力端子４６ｂが接続されている。
【００３４】
図１６Ａ及び図１６Ｂに示すダブルモード型フィルタは、バランス出力型、アンバランス出力型を問わず、入力端子または出力端子に直列ノッチ共振器（例えば図１０Ｂ参照）または並列ノッチ共振器（例えば図１２参照）を接続することで、副共振応答を抑圧することができる。
【００３５】
〔２．デュープレクサの構成〕
図１７Ａは、デュープレクサの構成を示す。デュープレクサは、送信フィルタ５６、受信フィルタ５３、整合回路５２から構成される。デュープレクサを構成する送信フィルタ５６または受信フィルタ５３にノッチ共振器を接続することで、副共振応答を抑圧したデュープレクサを実現することができる。
【００３６】
さらに、図１７Ｂに示すように、アンテナ端子５１に直列ノッチ共振器５７を接続する構成とすることにより、副共振応答を抑圧したデュープレクサを実現することができる。また、図１７Ｃに示すように、アンテナ端子５１に並列ノッチ共振器５８を接続する構成とすることにより、副共振応答を抑圧したデュープレクサを実現することができる。図１７Ｂ及び図１７Ｃに示す、アンテナ端子５１に接続するノッチ共振器５７及び５８の主共振周波数は、送信フィルタ５６の副共振周波数とおよそ一致させても良いし、受信フィルタ５３の副共振周波数とおよそ一致させても良い。
【００３７】
以下、弾性波フィルタの実施例を説明する。
【００３８】
図１８Ａは、図１７Ｃに示したデュープレクサの実施例を示す。図１７Ａにおける送信フィルタ９６と受信フィルタ９３には、ラブ波共振器を用いた４段ラダー型フィルタが使用されている。整合回路９２には、Ｌ−Ｃ−Ｌのπ型回路が用いられている。アンテナ端子９１に、ラブ波共振器からなる並列ノッチ共振器９７が接続されている。並列ノッチ共振器９７の主共振周波数が、受信フィルタ９３の副共振周波数とおよそ一致するように、並列ノッチ共振器９７の櫛形電極周期が調整されている。
【００３９】
図１８Ｂは、送信フィルタ９６のチップ構造を示す。図１８Ｂに示す送信フィルタチップでは、複数の弾性波共振器９６ｄが互いに直列または並列に接続されている。また、信号ラインＳの両端に、送信端子９５に接続された入力端子９６ａと、アンテナ端子７１に接続された出力端子９６ｂとを備えている。また、信号ラインＳとグランド端子９６ｃと間にノッチ共振器９６ｅを接続している。このような構成とすることで、送信フィルタ９６における副共振応答を抑圧することができる。
【００４０】
図１８Ｃは、受信フィルタ９３のチップ構造である。図１８Ｃに示す受信フィルタチップは、複数の弾性波共振器９３ｄが互いに直列または並列に接続されている。また、信号ラインＳの両端に、整合回路９２に接続された入力端子９３ａと、受信端子９４に接続された出力端子９３ｂとを備えている。本実施例では、図１８Ｃに示す受信フィルタチップには、ノッチ共振器を備えていない。すなわち、デュープレクサの入力側（例えば受信フィルタ９３）または出力側（例えば送信フィルタ９６）のいずれか一方に、直列ノッチ共振器または並列ノッチ共振器を備えていればよい。また、比較のために、アンテナ端子に並列ノッチ共振器を接続しない（送信フィルタチップ上にノッチ共振器のない）従来のデュープレクサも作製した。
【００４１】
図１９Ａは、ノッチ共振器が接続されていない従来デュープレクサのフィルタ特性と、ノッチ共振器単体の周波数特性を示す。図１９Ａにおいて、特性Ｖ１は送信フィルタの周波数特性、特性Ｖ２は受信フィルタの周波数特性を示している。特性Ｖ１及びＶ２に示すように、２２００〜２４００ＭＨｚ付近に、送信フィルタと受信フィルタそれぞれの副共振応答が存在している。また、図１９Ａにおいて、特性Ｖ３は、並列ノッチ共振器単体の通過特性である。特性Ｖ３に示すように、並列ノッチ共振器の主共振周波数は、受信フィルタの副共振応答周波数におよそ一致している。
【００４２】
図１９Ｂは、アンテナ端子に並列ノッチ共振器が接続されていない場合（従来）と並列ノッチ共振器が接続されている場合（例えば図１８Ａに示す本発明の構成）での送信フィルタの周波数特性を示す。図１９Ｃは、アンテナ端子に並列ノッチ共振器が接続されていない場合（従来）と並列ノッチ共振器が接続されている場合（例えば図１８Ａに示す本発明の構成）での受信フィルタの周波数特性を示す。アンテナ端子に並列ノッチ共振器が接続されていることで、図１９Ｃに示すように受信フィルタの副共振応答を大幅に抑圧できているだけでなく、図１９Ｂに示すように送信フィルタの副共振応答も少し抑圧できている。これは、ノッチ共振器をデュープレクサのアンテナ端子に接続したことで、ノッチ共振器の影響を受信フィルタ特性だけでなく、送信フィルタ特性にまで与えることができたためである。また、並列ノッチ共振器を接続することによる、デュープレクサの主共振応答への影響は極めて小さいこともわかる。
【００４３】
〔３．通信モジュールの構成〕
図２０は、本実施の形態の弾性波フィルタまたはデュープレクサを備えた通信モジュールの一例を示す。図２０に示すように、デュープレクサ６２は、受信フィルタ６２ａと送信フィルタ６２ｂとを備えている。また、受信フィルタ６２ａには、例えばバランス出力に対応した受信端子６３ａ及び６３ｂが接続されている。また、送信フィルタ６２ｂは、パワーアンプ６４を介して送信端子６５に接続している。ここで、受信フィルタ６２ａ及び送信フィルタ６２ｂには、本実施の形態における弾性波フィルタが含まれている。
【００４４】
受信動作を行う際、受信フィルタ６２ａは、アンテナ端子６１を介して入力される受信信号のうち、所定の周波数帯域の信号のみを通過させ、受信端子６３ａ及び６３ｂから外部へ出力する。また、送信動作を行う際、送信フィルタ６２ｂは、送信端子６５から入力されてパワーアンプ６４で増幅された送信信号のうち、所定の周波数帯域の信号のみを通過させ、アンテナ端子６１から外部へ出力する。
【００４５】
以上のように本実施の形態の弾性波フィルタまたはデュープレクサを、通信モジュールの受信フィルタ６２ａ及び送信フィルタ６２ｂに備えることで、副共振応答を抑圧することができ、通信特性を向上させることができる。
【００４６】
なお、図２０に示す通信モジュールの構成は一例であり、他の形態の通信モジュールに本発明のフィルタを搭載しても、同様の効果が得られる。
【００４７】
〔４．通信装置の構成〕
図２１は、本実施の形態の弾性波フィルタまたは通信モジュールを備えた通信装置の一例として、携帯電話端末のＲＦブロックを示す。また、図２１に示す構成は、ＧＳＭ（Global System for Mobile Communications）通信方式及びＷ−ＣＤＭＡ（Wideband Code Divition Multiple Access）通信方式に対応した携帯電話端末の構成を示す。また、本実施の形態におけるＧＳＭ通信方式は、８５０ＭＨｚ帯、９５０ＭＨｚ帯、１．８ＧＨｚ帯、１．９ＧＨｚ帯に対応している。また、携帯電話端末は、図２１に示す構成以外にマイクロホン、スピーカー、液晶ディスプレイなどを備えているが、本実施の形態における説明では不要であるため図示を省略した。ここで、受信フィルタ７３ａ，７７，７８，７９，８０、および送信フィルタ７３ｂには、本実施の形態におけるフィルタが含まれている。
【００４８】
まず、アンテナ７１を介して入力される受信信号は、その通信方式がＷ−ＣＤＭＡかＧＳＭかによってアンテナスイッチ回路７２で、動作の対象とするＬＳＩを選択する。入力される受信信号がＷ−ＣＤＭＡ通信方式に対応している場合は、受信信号をデュープレクサ７３に出力するように切り換える。デュープレクサ７３に入力される受信信号は、受信フィルタ７３ａで所定の周波数帯域に制限されて、バランス型の受信信号がＬＮＡ７４に出力される。ＬＮＡ７４は、入力される受信信号を増幅し、ＬＳＩ７６に出力する。ＬＳＩ７６では、入力される受信信号に基づいて音声信号への復調処理を行ったり、携帯電話端末内の各部を動作制御する。
【００４９】
一方、信号を送信する場合は、ＬＳＩ７６は送信信号を生成する。生成された送信信号は、パワーアンプ７５で増幅されて送信フィルタ７３ｂに入力される。送信フィルタ７３ｂは、入力される送信信号のうち所定の周波数帯域の信号のみを通過させる。送信フィルタ７３ｂから出力される送信信号は、アンテナスイッチ回路７２を介してアンテナ７１から外部に出力される。
【００５０】
また、入力される受信信号がＧＳＭ通信方式に対応した信号である場合は、アンテナスイッチ回路７２は、周波数帯域に応じて受信フィルタ７７〜８０のうちいずれか一つを選択し、受信信号を出力する。受信フィルタ７７〜８０のうちいずれか一つで帯域制限された受信信号は、ＬＳＩ８３に入力される。ＬＳＩ８３は、入力される受信信号に基づいて音声信号への復調処理を行ったり、携帯電話端末内の各部を動作制御する。一方、信号を送信する場合は、ＬＳＩ８３は送信信号を生成する。生成された送信信号は、パワーアンプ８１または８２で増幅されて、アンテナスイッチ回路７２を介してアンテナ７１から外部に出力される。
【００５１】
以上のように、本実施の形態の弾性波フィルタまたはその弾性波フィルタを備えた通信モジュールを通信装置に備えることで、副共振応答を抑圧することができ、通信特性を向上させることができる。
【００５２】
〔５．実施の形態の効果、他〕
本実施の形態によれば、弾性波フィルタに直列または並列にノッチ共振器を接続することにより、フィルタ特性において生じていた副共振応答を抑圧することができ、通信特性を向上させることができる。
【００５３】
（付記１）
弾性波共振器を有する弾性波フィルタであって、
前記弾性波共振器に直列または並列に接続されたノッチ共振器を備え、
前記ノッチ共振器の主共振周波数は、前記弾性波共振器の副共振周波数と略一致する、弾性波フィルタ。
【００５４】
（付記２）
前記弾性波共振器は、ラダー型に接続されている、付記１記載の弾性波フィルタ。
【００５５】
（付記３）
前記弾性波共振器は、ダブルモード型共振器である、付記１記載の弾性波フィルタ。
【００５６】
（付記４）
前記ノッチ共振器は、入力端子または出力端子に直列に接続されている、付記１から３のいずれか一項に記載の弾性波フィルタ（図１１Ａ、図１１Ｂ参照）。
【００５７】
（付記５）
前記ノッチ共振器は、入力端子または出力端子に並列に接続されている、付記１から３のいずれか一項に記載の弾性波フィルタ（図１３Ａ、図１３Ｂ参照）。
【００５８】
（付記６）
前記ノッチ共振器は、信号ラインに対して直列に接続された直列共振器と前記信号ラインとグランドラインとに並列に接続された並列共振器との間に、直列に接続されている、付記２記載の弾性波フィルタ（図１４Ａ参照）。
【００５９】
（付記７）
前記ノッチ共振器は、信号ラインに対して直列に接続された複数の直列共振器の間に、直列に接続されている、付記２記載の弾性波フィルタ（図１４Ｂ参照）。
【００６０】
（付記８）
前記ノッチ共振器は、信号ラインとグランドラインとに並列に接続された並列共振器の間に、直列に接続されている、付記２記載の弾性波フィルタ（図１４Ｃ参照）。
【００６１】
（付記９）
前記ノッチ共振器は、信号ラインに対して直列に接続された直列共振器に、並列に接続されている、付記２記載の弾性波フィルタ（図１４Ｄ参照）。
【００６２】
（付記１０）
前記ノッチ共振器は、信号ラインに対して直列に接続された複数の直列共振器に、並列に接続されている、付記２記載の弾性波フィルタ（図１４Ｅ参照）。
【００６３】
（付記１１）
前記ノッチ共振器は、信号ラインに対して直列に接続された複数の直列共振器の間に、並列に接続されている、付記２記載の弾性波フィルタ（図１５Ａ参照）。
【００６４】
（付記１２）
前記ノッチ共振器は、信号ラインとグランドラインとに並列に接続された並列共振器とグランド端子との間に、直列に接続されている、付記２記載の弾性波フィルタ（図１５Ｂ参照）。
【００６５】
（付記１３）
前記ノッチ共振器は、信号ラインとグランドラインとに並列に接続された並列共振器と信号ラインとの間に、直列に接続されている、付記２記載の弾性波フィルタ（図１５Ｃ参照）。
【００６６】
（付記１４）
前記ノッチ共振器は、信号ラインとグランドラインとに並列に接続された複数の並列共振器の前記グランドライン側の接続点と前記グランドラインとの間に、直列に接続されている、付記２記載の弾性波フィルタ（図１５Ｄ参照）。
【００６７】
（付記１５）
前記ノッチ共振器は、信号ラインとグランドラインとに並列に接続された複数の並列共振器の信号ライン側の接続点と前記信号ラインとの間に、直列に接続されている、付記２記載の弾性波フィルタ（図１５Ｅ参照）。
【００６８】
（付記１６）
前記弾性波共振器及び前記ノッチ共振器は、弾性表面波共振器、ラブ波共振器、弾性境界波共振器、圧電薄膜共振器のうちのいずれかである、付記１から１５のいずれか一項に記載の弾性波フィルタ。
【００６９】
（付記１７）
前記ノッチ共振器は、フィルタチップ上に形成されている、付記２記載の弾性波フィルタ。
【００７０】
（付記１８）
前記ノッチ共振器は、送信フィルタチップ上に形成されている、付記２記載の弾性波フィルタ。
【００７１】
（付記１９）
アンテナに接続されたアンテナ端子と、
前記アンテナ端子に接続され、前記アンテナ端子を介して前記アンテナから受信信号を入力する受信回路と、
前記アンテナ端子に接続され、前記アンテナ端子を介して前記アンテナに送信信号を出力する送信回路と、
前記アンテナ端子に接続されたノッチ共振器とを備え、
前記受信回路及び前記送信回路は、弾性波共振器を備え、
前記ノッチ共振器の主共振周波数は、前記弾性波共振器の副共振周波数と略一致する、デュープレクサ。
【００７２】
（付記２０）
前記ノッチ共振器は、前記アンテナ端子に直列に接続されている、付記１９記載のデュープレクサ（図１７Ｂ参照）。
【００７３】
（付記２１）
前記ノッチ共振器は、前記アンテナ端子に並列に接続されている、付記１９記載のデュープレクサ（図１７Ｃ参照）。
【００７４】
（付記２２）
付記１〜１８に記載の弾性波フィルタ、または付記１９〜２１に記載のデュープレクサを備えた、通信モジュール（図２０参照）。
【００７５】
（付記２３）
付記２２に記載の通信モジュールを備えた、通信装置（図２１参照）。
【産業上の利用可能性】
【００７６】
本発明は、弾性波フィルタに有用である。また、そのような弾性波フィルタは、デュープレクサ、通信モジュール、通信装置に応用が可能である。
【図面の簡単な説明】
【００７７】
【図１Ａ】弾性表面波共振器の構造例を示す平面図
【図１Ｂ】図１ＡにおけるＺ−Ｚ部の断面図
【図２Ａ】ラブ波共振器の構造例を示す平面図
【図２Ｂ】図２ＡにおけるＺ−Ｚ部の断面図
【図３Ａ】弾性境界波共振器の構造例を示す平面図
【図３Ｂ】図３ＡにおけるＺ−Ｚ部の断面図
【図４Ａ】圧電薄膜共振器の構造例を示す平面図
【図４Ｂ】図４ＡにおけるＺ−Ｚ部の断面図
【図５】弾性波共振器のアドミタンス特性例を示す特性図
【図６Ａ】ラダー型フィルタの構成を示す回路図
【図６Ｂ】ラダー型フィルタの通過特性を示す特性図
【図７】ラダー型フィルタのバンドパス特性の形成原理を説明するための特性図
【図８】弾性波共振器の広帯域アドミタンス特性例を示す特性図
【図９】ラダー型弾性波フィルタの広帯域通過特性例を示す特性図
【図１０Ａ】ラダー型フィルタの構成を示す回路図
【図１０Ｂ】直列ノッチ共振器の構成を示す回路図
【図１０Ｃ】ラダー型フィルタと直列ノッチ共振器の広帯域通過特性例を示す特性図
【図１１Ａ】直列ノッチ共振器を接続したラダー型フィルタの構成を示す回路図
【図１１Ｂ】直列ノッチ共振器を接続したラダー型フィルタの広帯域通過特性例を示す特性図
【図１２Ａ】ラダー型フィルタの構成を示す回路図
【図１２Ｂ】並列ノッチ共振器の構成を示す回路図
【図１２Ｃ】ラダー型フィルタと並列ノッチ共振器の広帯域通過特性例を示す特性図
【図１３Ａ】並列ノッチ共振器を接続したラダー型フィルタの構成を示す回路図
【図１３Ｂ】並列ノッチ共振器を接続したラダー型フィルタの広帯域通過特性例を示す特性図
【図１４】Ａ〜Ｅは、直列ノッチ共振器を接続したラダー型フィルタの変形例を示す回路図
【図１５】Ａ〜Ｅは、並列ノッチ共振器を接続したラダー型フィルタの変形例を示す回路図
【図１６Ａ】ダブルモード型フィルタ（アンバランス出力型）の構成を示す模式図
【図１６Ｂ】ダブルモード型フィルタ（バランス出力型）の構成を示す模式図
【図１７Ａ】従来のデュープレクサの構成を示す回路図
【図１７Ｂ】アンテナ端子に直列ノッチ共振器を接続したデュープレクサの構成を示す回路図
【図１７Ｃ】アンテナ端子に並列ノッチ共振器を接続したデュープレクサの構成を示す回路図
【図１８Ａ】アンテナ端子に並列ノッチ共振器を接続したデュープレクサの構成を示す回路図
【図１８Ｂ】送信フィルタチップの構成を示す模式図
【図１８Ｃ】受信フィルタチップの構成を示す模式図
【図１９Ａ】従来のデュープレクサのフィルタ特性とノッチ共振器単体の周波数特性を示す特性図
【図１９Ｂ】送信フィルタの周波数特性を示す特性図
【図１９Ｃ】受信フィルタの周波数特性を示す特性図
【図２０】通信モジュールの構成を示すブロック図
【図２１】通信装置の構成を示すブロック図
【符号の説明】
【００７８】
２  直列ノッチ共振器
１２  並列ノッチ共振器
【図１Ａ】
2010109894.tif 000003
【図１Ｂ】
2010109894.tif 000004
【図２Ａ】
2010109894.tif 000005
【図２Ｂ】
2010109894.tif 000006
【図３Ａ】
2010109894.tif 000007
【図３Ｂ】
2010109894.tif 000008
【図４Ａ】
2010109894.tif 000009
【図４Ｂ】
2010109894.tif 000010
【図５】
2010109894.tif 000011
【図６Ａ】
2010109894.tif 000012
【図６Ｂ】
2010109894.tif 000013
【図７】
2010109894.tif 000014
【図８】
2010109894.tif 000015
【図９】
2010109894.tif 000016
【図１０Ａ】
2010109894.tif 000017
【図１０Ｂ】
2010109894.tif 000018
【図１０Ｃ】
2010109894.tif 000019
【図１１Ａ】
2010109894.tif 000020
【図１１Ｂ】
2010109894.tif 000021
【図１２Ａ】
2010109894.tif 000022
【図１２Ｂ】
2010109894.tif 000023
【図１２Ｃ】
2010109894.tif 000024
【図１３Ａ】
2010109894.tif 000025
【図１３Ｂ】
2010109894.tif 000026
【図１４】
2010109894.tif 000027
【図１５】
2010109894.tif 000028
【図１６Ａ】
2010109894.tif 000029
【図１６Ｂ】
2010109894.tif 000030
【図１７Ａ】
2010109894.tif 000031
【図１７Ｂ】
2010109894.tif 000032
【図１７Ｃ】
2010109894.tif 000033
【図１８Ａ】
2010109894.tif 000034
【図１８Ｂ】
2010109894.tif 000035
【図１８Ｃ】
2010109894.tif 000036
【図１９Ａ】
2010109894.tif 000037
【図１９Ｂ】
2010109894.tif 000038
【図１９Ｃ】
2010109894.tif 000039
【図２０】
2010109894.tif 000040
【図２１】
2010109894.tif 000041